(57)【特許請求の範囲】
【請求項１】
一次局が二次局にリソースへのアクセスを与える方法であって、
（ａ）前記二次局が、前記一次局に、リソースへのアクセス要求を送信するステップと、
（ｂ）前記一次局が、前記アクセス要求のアクノリッジメント標示を送信するとともに、前記アクノリッジメント標示の前記送信から独立して、前記二次局によって使用されるべきリソースの組をシグナリングするステップと、
を含み、
前記ステップ（ａ）において、前記二次局は、リソースへのアクセスを要求するためのプリアンブルを送信し、
各リソースは、予め決められたやり方で、各プリアンブルに関連付けられ、
前記ステップ（ｂ）におけるプリアンブルに対する前記一次局による応答は、前記プリアンブルに関連付けられる前記リソースが利用可能であるか否かに依存して、変更され、
前記二次局は、前記ステップ（ｂ）におけるプリアンブルに対する前記一次局による応答がアクノリッジメントのみを含む場合、前記関連付けられるリソースが利用可能であると解釈し、
前記二次局は、前記一次局の応答が別のリソースの標示をさらに含む場合、前記関連付けられるリソースが利用可能でないと解釈する、方法。
【請求項２】
前記リソースの組の前記シグナリングは、ＡＩＣＨの未使用部分において、前記リソースの組を示す情報を送信することによって実施される、請求項１に記載の方法。
【請求項３】
別のリソースの前記標示は、１又は複数の付加のシグネチャ、及び／又は前記アクノリッジメントの終わりの予約フィールドにおける付加のシグナリングビットの送信を含むことができる、請求項１に記載の方法。
【請求項４】
前記ステップ（ａ）において、前記二次局は、リソースへのアクセスを要求するためのプリアンブルを送信し、
前記プリアンブル及び／又は前記リソース割り当ての前記シグナリングは、シグネチャ及びタイムスロットの組み合わせ、タイムスロットのみ、又はシグネチャのみを含む、請求項１に記載の方法。
【請求項５】
前記リソースは、リソースの複数の組にグループ化され、各々の特定のリソースは、前記組及び前記組内のインデックスの両方を識別することによって示される、請求項１に記載の方法。
【請求項６】
二次局にリソースへのアクセスを与える手段を有する一次局であって、
前記二次局からリソースへのアクセス要求を受け取る受信手段と、
前記二次局に前記アクセス要求のアクノリッジメント標示を送信するとともに、前記アクノリッジメント標示の送信から独立して、前記二次局によって使用されるべきリソースの組をシグナリングする送信手段と、
を有し、
前記受信手段は、リソースへのアクセスを要求するためのプリアンブルを前記二次局から受信し、各リソースは、予め決められたやり方で、各プリアンブルに関連付けられ、前記一次局は、前記プリアンブルに関連付けられる前記リソースが利用可能であるか否かに依存して、プリアンブルに対する応答を変更し、
プリアンブルに対する前記一次局の応答は、前記関連付けられるリソースが利用可能な場合、アクノリッジメントのみを含み、前記一次局の応答は、前記関連付けられるリソースが利用可能でない場合、別のリソースの標示をさらに含む、一次局。
【請求項７】
一次局にリソースへのアクセスを要求するための手段を有する二次局であって、
リソースへのアクセス要求を一次局に送信するための送信手段、
前記アクセス要求のアクノリッジメント標示、及び、前記二次局によって使用されるべきリソースの組のシグナリングを前記アクノリッジメント標示の受信から独立して、前記一次局から受信するための受信手段、
を有し、
前記送信手段はさらに、リソースへのアクセスを要求するためのプリアンブルを送信し、各リソースは、予め決められたやり方で、各プリアンブルに関連付けられ、
前記二次局は、前記プリアンブルに関連付けられる前記リソースが利用可能であるか否かに依存して変更される、前記プリアンブルに対する前記一次局の応答を受信し、
プリアンブルに対する前記一次局の応答は、前記関連付けられるリソースが利用可能である場合、アクノリッジメントのみを含み、前記一次局の応答は、前記関連付けられるリソースが利用可能でない場合、別のリソースの標示をさらに含む、二次局。
【発明の詳細な説明】
【技術分野】
【０００１】
本発明は、二次局にアクセスを与える方法及び関連する一次局に関する。
【０００２】
本発明は、より具体的には、ＵＭＴＳシステム又はＵＭＴＳ  ＬＴＥ通信システムのよう移動通信システムに関する。
【背景技術】
【０００３】
ＵＭＴＳ  ＷＣＤＭＡにおいて、アップリンクのランダムアクセス送信について規定されるメカニズムがある。ユーザ機器ＵＥ（すなわち基地局）は、以下によって特徴付けられるランダムに選択されたプリアンブル信号を送信する：
・シグネチャシーケンス（すなわちビットシーケンス）、
・スクランブリングコード、
・サブチャネル（すなわちフレーム内のアクセススロットのタイミング）。
【０００４】
基地局がシグネチャを受け取る場合、基地局は、対応するシグネチャによって、アクイジションインジケータチャネル（ＡＩＣＨ）上でアクノリッジする。ＵＥが肯定のアクノリッジメントを受け取る場合、ＵＥは、ＲＡＣＨデータチャネル上でメッセージ部分を送信する。
【０００５】
ＵＥがアクノリッジメントを受け取らない（又はＡＩＣＨ上の反転されたシグネチャによって示される否定のアクノリッジメントを受け取る）場合、ＵＥは、別の試行を行うことができる。
【０００６】
衝突確率は、シグネチャシーケンス、スクランブリングコード、アクセススロットの数に依存し、ＵＥは、それらのシグネチャシーケンス、スクランブリングコード、アクセススロットから、ランダムに選択されるプリアンブル信号についての選択を行う。
【０００７】
今日、３ＧＰＰにおいて、ＵＥが、ＲＡＣＨと同じような新しいメカニズムを使用するように構成されることができることが提案されている。本発明の目的に関して、主な違いは、ＲＡＣＨプリアンブルと直接関連付けられる単一のショートメッセージの代わりに、プリアンブル送信の後に続くデータ送信が、拡張専用チャネル（Ｅ−ＤＣＨ）として知られる高速アップリンクパケットデータチャネルを使用することである。ＲＡＣＨメッセージと異なり、Ｅ−ＤＣＨは、電力制御、レート制御、ハイブリッドＡＲＱ、及び不確定の時間長の間に高いデータレートを送信する能力によって特徴付けられるが、実際に、詳細な特性は、本発明にとって重要でない。ＵＥが成功裡のＥ−ＲＡＣＨアクセスに続いてどのＥ−ＤＣＨパラメータを使用すべきであるかを示す方策は、まだ決定されていない。
【０００８】
便宜上、「Ｒ９９  ＲＡＣＨ」のような既存のＲＡＣＨを使用し、「Ｅ−ＲＡＣＨ」のような新しいスキームを使用して、アップリンクアクセスを得るメカニズムに言及することができる。
【発明の概要】
【発明が解決しようとする課題】
【０００９】
ＵＥがＲ９９  ＲＡＣＨプリアンブル信号送信に関してリソースからランダムな選択を行うことを許される該リソースは、各セル内のブロードキャストチャネル（ＢＣＨ）上でブロードキャストされる。ＢＣＨ上でシグナリングされるＲ９９  ＲＡＣＨパラメータが、下表に参照のために含まれている。この情報は、１又は複数のＰＲＡＣＨ（物理ＲＡＣＨ）に提供される：
0005419884.tif 000002
【００１０】
Ｅ−ＲＡＣＨアクセスに関するパラメータも、同様のやり方で規定されるようである。
【００１１】
R1-074303, "Resource assignment for E-DCH access in CELL_FACH state", Nokia Corporation, Nokia Siemens Networks(http://www.3gpp.org/ftp/tsg_ran/WG1_RL1/TSGR1_50b/Docs/R1-074303.zipで入手可能)に提案されている（Ｅ−ＲＡＣＨプリアンブル送信の後に続くデータ送信のための）Ｅ−ＤＣＨリソースを示す１つのスキームは、以下に見られるように、テーブルに規定されるＡＩＣＨ上で送られる複数シグネチャのグループの各々の値とＥ−ＤＣＨパラメータの特定の組との間のリンクを生成する。
【００１２】
R1-074303, "Resource assignment for E-DCH access in CELL_FACH state"からのシグネチャ組み合わせの例を以下に示す：
0005419884.tif 000003
【００１３】
複数の問題が、R1-074303, "Resource assignment for E-DCH access in CELL_FACH state"に提案されるソリューションに関して存在する：
−ＡＩＣＨシグネチャスペースが増大されない場合、複数のＡＩＣＨシグネチャが、各プリアンブルにマップされるので、これは、利用可能なプリアンブル数を低減する。これは、Ｒ９９  ＲＡＣＨ及びＥ−ＲＡＣＨの双方について衝突確率を増加させる見込みがある。
−ＵＥは、複数シグネチャを検出する必要がある。
−Ｒ９９  ＲＡＣＨに関するアクノリッジメントの検出確率は、複数のシグネチャ送信によって低下されるので、従来のＵＥへの影響がありうる。
【００１４】
R1-074303, "Resource assignment for E-DCH access in CELL_FACH state"において更に識別される可能なソリューションは、ＡＩＣＨシグネチャの数を（３２まで）増加させることである。これは、Ｒ９９  ＲＡＣＨに関するアクノリッジメントの従来のＵＥの検出確率が、複数の（新しい）シグネチャ送信によって低下されるという不利益をもつ。
【００１５】
別のソリューションは、別のリソースを示すために、シグネチャの非送信を更に使用することである。例えば：
0005419884.tif 000004
これは、ＵＥにおけるより正確なシグネチャ振幅検出を必要とするという不利益をもつ。
【００１６】
更に、R1-074303, "Resource assignment for E-DCH access in CELL_FACH state"に述べられているように、Ｅ−ＤＣＨリソースは、シグネチャの独立した組によって示されることができる。R1-074303において、これはＡＩＣＨ上でただ１つの同時のアクノリッジメントを可能にすることが示唆される。しかしながら、リソース割り当てが２つの同時のアクノリッジメントから独立しないという制限が受け入れ可能である場合、この制約は適用されない。
【００１７】
例えば、以下に例を示す：
0005419884.tif 000005
【００１８】
プリアンブルシグネチャ１が、１，３（＋１，＋１）によってアクノリッジされる場合、プリアンブルシグネチャ２は、リソース４を示す２，３（−１，＋１）によってアクノリッジされ、又はリソース６を示す２，３（＋１，＋１）によってアクノリッジされることができる。（しかしながら、ＮＡＣＫ又はリソース５は、示されることができない。）
【００１９】
要するに、ＵＭＴＳ  ＷＣＤＭＡにおいて、新しいＲＡＣＨに基づくアップリンクが議論されている。アップリンク送信リソースの要求が、通常のＲＡＣＨに基づくメカニズムを使用して行われる。通常のＲＡＣＨとの主な違いは、データ送信が、ＲＡＣＨプリアンブルと直接関連付けられる単一のショートメッセージの代わりに、拡張専用チャネル（Ｅ−ＤＣＨ）として知られる高速アップリンクパケットデータチャネルを使用することである。使用されるべきＥ−ＤＣＨリソースを示すための１つの提案されるスキームは、テーブルに規定される（Ｅ−ＲＡＣＨアクセスをアクノリッジするために）ＡＩＣＨ上で送られる複数シグネチャのグループの各々の値とＥ−ＤＣＨパラメータの特定の組との間のリンクを生成する。
【００２０】
本発明の目的は、二次局にリソースをシグナリングする方法であって、従来の二次局及びＬＴＥ二次局の両方にとって信頼できる方法を提案することである。
【００２１】
本発明の別の目的は、上述の問題を軽減することである。
【課題を解決するための手段】
【００２２】
本発明の１つの見地によれば、一次局が二次局にリソースへのアクセスを与える方法であって、
（ａ）二次局が、一次局に、リソースへのアクセス要求を送信するステップと、
（ｂ）一次局が、アクセス要求のアクノリッジメント標示を送信し、アクノリッジメント標示の送信から独立して、二次局によって使用されるべきリソースの組をシグナリングするステップと、
を含む方法が提案される。
【００２３】
本発明の別の見地によれば、二次局にリソースへのアクセスを与える手段を有する一次局であって、二次局から、リソースへのアクセス要求を受け取る受信手段と、二次局に、アクセス要求のアクノリッジメント標示を送信し、アクノリッジメント標示の送信から独立して、二次局によって使用されるべきリソースの組をシグナリングする送信手段と、を有する一次局が提案される。
【００２４】
本発明のこれら及び他の見地は、以下に記述される実施例から明らかであり、それらを参照して解明される。
【図面の簡単な説明】
【００２５】
【図１】本発明が実現されるシステムのブロック図。
【図２】本発明の一実施例により、サブセットへの分割のさまざまな異なる程度に関して構成されうるＥ−ＲＡＣＨプリアンブル及びＥ−ＤＣＨリソースの数を示すグラフ。
【図３】本発明の別の実施例により、サブセットへの分割のさまざまな異なる程度に関して構成されうるＥ−ＲＡＣＨプリアンブル及びＥ−ＤＣＨリソースの数を示すグラフ。
【発明を実施するための形態】
【００２６】
本発明は、添付の図面を参照して、例示によって、より詳しく記述される。
【００２７】
本発明は、基地局のような一次局１００と、移動局のような少なくとも１つの二次局２００と、を有する図１に示されるような通信３００のシステムに関する。
【００２８】
ラジオシステム３００は、複数の一次局１００及び／又は複数の二次局２００を有することができる。一次局１００は、送信機手段１１０及び受信手段１２０備える。送信機手段１１０の出力及び受信手段１２０の入力は、結合手段１４０によって、複数のアンテナを有するアンテナ１３０又はアンテナアレイに結合される。結合手段１４０は、例えばサーキュレータ又は切り換えスイッチでありうる。例えばプロセッサでありうる制御手段１５０が、送信機手段１１０及び受信手段１２０に結合される。二次局２００は、送信機手段２１０及び受信手段２２０を有する。送信機手段２１０の出力及び受信手段２２０の入力は、結合手段２４０によって、複数のアンテナを有するアンテナ２３０又はアンテナアレイに結合される。結合手段２４０は、例えばサーキュレータ又は切り換えスイッチでありうる。例えばプロセッサでありうる制御手段２５０が、送信機手段２１０及び受信手段２２０に結合される。一次ラジオ局１００から二次局２００への送信は、ダウンリンクチャネル１６０上で行われ、二次ラジオ局２００から一次ラジオ局１００への送信は、アップリンクチャネル２６０上で行われる。
【００２９】
本発明は、Ｅ−ＲＡＣＨアクセスをアクノリッジすることから独立して、使用されるべきリソースの組をシグナリングすることを提案する。１つの可能な方法は、ＡＩＣＨの未使用部分（あらゆるスロットにつき１０２４チップに対応する）において、リソース組を示す情報を送信することである。
【００３０】
本発明の一実施例によれば、特定のＥ−ＤＣＨリソースが、予め決められたやり方で、各Ｅ−ＲＡＣＨプリアンブルに関連付けられ、プリアンブルに対するＮｏｄｅＢの応答が、プリアンブルと関連付けられたＥ−ＤＣＨリソースが利用可能か否かに依存して、変更される。
【００３１】
別の実施例において、関連付けられたＥ−ＤＣＨリソースが利用可能な場合、プリアンブルに対するＮｏｄｅＢの応答は、ＡＣＫのみ又はＮＡＣＫのみを含み、関連付けられたＥ−ＤＣＨリソースが利用可能でない場合、ＮｏｄｅＢの応答は、別のリソースの標示をも含む。
【００３２】
従って、本発明は、Ｅ−ＤＣＨリソースを割り当てるためのシグナリングの量が低減され、ゆえに、他のプリアンブルアクノリッジメントシグナリングに生成される干渉の量もまた低減されることができるという利点を有する。
【００３３】
別のリソースの標示は、１又は複数の付加のシグネチャ、及び／又は通常のアクノリッジメント信号の終わりの予約フィールドにおける付加のシグナリングビットの送信を含むことができる。
【００３４】
別の実施例において、プリアンブル及び／又はリソース割り当てのシグナリングは、シグネチャ及びタイムスロットの組み合わせ、タイムスロットのみ、又はシグネチャのみを含むことができる。
【００３５】
本発明の別の見地は、Ｅ−ＤＣＨリソースの複数の組が、生成されることができ、特定のリソースが、（上述したようにインデックスを使用して）組及び組のメンバの両方を識別することによって標示されるという認識に基づく。さまざまな異なる組が、アップリンクスクランブリングコードを変更することによって、便利に生成されることができる。
【００３６】
従って、所与のＥ−ＤＣＨリソースが各々の可能なシグネチャに関連付けられ、リソースの組を形成する場合、（同じシグネチャに対応する）リソースの付加の組が、各アップリンクスクランブリングコードを変更することによって、容易に規定されることができる。
【００３７】
Ｅ−ＤＣＨリソースの十分な組が生成され、Ｅ−ＤＣＨリソースの同じ組が、ＡＩＣＨを使用して同時にアクノリッジされるすべてのＥ−ＲＡＣＨシグネチャに適用される場合、既存のリソース使用との低い衝突確率がある。
【００３８】
Ｅ−ＲＡＣＨシグネチャをアクノリッジすることから独立して、使用されるべきリソースの組をシグナリングすることが提案される。１つの可能な方法は、ＡＩＣＨの未使用部分（あらゆるスロットにつき１０２４チップに対応する）において、リソース組を示す情報を送信することである。
【００３９】
別の可能な方法は、リソース組を示すためにＡＩＣＨシグネチャのサブセットを使用することである。
【００４０】
本発明の別の見地は、Ｅ−ＤＣＨリソースとＥ−ＲＡＣＨプリアンブルとの間の関連が、ブロッキング確率に対して衝突確率をトレードオフするために使用されることができるという認識に基づく。
【００４１】
一般に、構成されるＥ−ＲＡＣＨプリアンブルの数が少ないほど、（複数ＵＥが同じＥ−ＲＡＣＨプリアンブルをランダムに選択する確率が高くなるので）衝突確率が高くなり、構成されるＥ−ＤＣＨリソースの数が少ないほど、（適切なＥ−ＤＣＨリソースが利用可能でない確率が増大するので）ブロッキング確率が高くなる。
【００４２】
Ｅ−ＤＣＨリソースを割り当てるためにＥ−ＲＡＣＨプリアンブルへの応答に必要とされるビットの総数は、構成されるＥ−ＲＡＣＨプリアンブルの数及び構成されるＥ−ＤＣＨリソースの数とともに増大する。２進シグナリングが、割り当られるＥ−ＤＣＨリソースを示すために使用される場合、必要とされるビットの最大数は、下式によって与えられる：
0005419884.tif 000006
上式で、Ｐは、構成されるＥ−ＲＡＣＨプリアンブルの数であり、Ｅは、構成されるＥ−ＤＣＨリソースの数である。これは、Ｅ−ＲＡＣＨプリアンブルの任意の組み合わせが同時に送信される場合に、任意のＥ−ＤＣＨリソースが、任意のＥ−ＲＡＣＨプリアンブルに応じて割り当てられることを可能にする。
【００４３】
こうして、Ｅ−ＤＣＨリソース割り当てのための所与の数のビットに関して、例えば、より少ない数のＥ−ＤＣＨリソースを構成することによってブロッキング確率を増大することを犠牲にして、より多くのＥ−ＲＡＣＨプリアンブルを構成することによって衝突確率を低減することが可能である。
【００４４】
しかしながら、このトレードオフのための自由量は、非常に制限される。例えば、Ｅ−ＤＣＨリソース割り当てのために１６ビットが利用可能であり、３２個のＥ−ＤＣＨリソースが構成される場合、たった３個のＥ−ＲＡＣＨプリアンブルが構成されることができるだけである。構成されるＥ−ＤＣＨリソースの数を８個に低減することによって、なおたった５個のＥ−ＲＡＣＨプリアンブルが構成されることができるだけである。
【００４５】
本発明のこの見地によれば、割り当ての十分な柔軟性が、リソース割り当てビットの利用可能な数の範囲内で達成されることができない場合、Ｅ−ＤＣＨリソース及びＥ−ＲＡＣＨプリアンブルが、サブセットに分けられる。
【００４６】
例えば、３２個の構成されるＥ−ＤＣＨリソースに関して上述の例を考える。要求される衝突確率は、３２個の構成されるＥ−ＲＡＣＨプリアンブルを必要とするものとする。本発明のこの見地によれば、３２個の構成されるＥ−ＤＣＨリソースが、８個のリソースの４個のサブセットに細分される。同様に、３２個の構成されるＥ−ＲＡＣＨプリアンブルが、８個のリソースの４個のサブセットに細分される。１対１のマッピングが、Ｅ−ＲＡＣＨプリアンブルサブセットとＥ−ＤＣＨリソースサブセットとの間に規定される。ネットワークにアクセスすることを望むＵＥは、Ｅ−ＲＡＣＨプリアンブルの任意の１つのランダム選択を行う。選択されたプリアンブルを含むサブセットは、Ｅ−ＤＣＨリソースのサブセットを示し、この場合、ネットワークは、サブセット内の８個のＥ−ＤＣＨリソースのうちどれがＵＥに割り当てられるかを示すために、３ビットしか必要としない。こうして、柔軟性のわずかな損失のみをともなって、低い衝突確率が、低いブロッキング確率と共に達成されることができる。
【００４７】
一例として、図２のグラフは、１６ビットの２進信号がリソースを割り当てるために使用される場合、サブセットへの分割のさまざまな異なる程度に関して構成されうるＥ−ＲＡＣＨプリアンブル及びＥ−ＤＣＨリソースの数を示している。
【００４８】
他の例が、図３に与えられており、図３は、１６ビットの３進信号がリソースを割り当てるために使用される場合、サブセットへの分割のさまざまな異なる程度に関して構成されうるＥ−ＲＡＣＨプリアンブル及びＥ−ＤＣＨリソースの数を示している。
【００４９】
別の実施例において、本発明は、ＵＭＴＳ  ＷＣＤＭＡにおいて利用される。各ＰＲＡＣＨごとのリソースは、ＢＣＨを使用してブロードキャストされる。いくつかのＵＥは、例えばより上層のシグナリングによって、Ｅ−ＲＡＣＨを使用するように構成される。Ｅ−ＲＡＣＨアクセスに利用可能なリソースもまた、ＢＣＨを介してこれらＵＥのために構成される。
【００５０】
成功したＥ−ＲＡＣＨアクセスは、ＡＩＣＨ上で肯定のアクノリッジメントによって示される。Ｅ−ＤＣＨ上で使用されるべき送信リソースが、シグナリングビットによって示される。好適な実施例において、これらのビットは、ＡＩＣＨの未使用部分を使用して送信される。
【００５１】
他の実施例において、Ｅ−ＤＣＨリソースは、Ｅ−ＲＡＣＨアクセス試行のために選択されたＥ−ＲＡＣＨシグネチャを参照することによって決定される。例えば、シグネチャとＥ−ＤＣＨリソースとの間の関係が、テーブルを使用して示される。テーブルは更に、ＡＩＣＨの未使用部分上で（又は他の手段によって）送られるシグナリングビットの値の各々の可能な組に対応するＥＤＣＨリソースを示す。
【００５２】
他の実施例において、それぞれ異なるが同じＥ−ＲＡＣＨシグネチャに対応する、シグナリングビットによって示されるＥ−ＤＣＨリソースは、スクランブリングコードの観点でのみ異なる。
【００５３】
以下の文章が追加の情報を与える。
【００５４】
R1-074976, "Enhanced Uplink for CELL_FACH", Philips（http://www.3gpp.org/ftp/tsg_ran/WG1_RL1/TSGR1_51/Docs/R1-074976.zipで入手可能)において、Ｃｅｌｌ＿ＦＡＣＨにおいて拡張アップリンクを始める最初のフェーズにおけるＲＡＣＨプリアンブルの使用に関連する複数の事項について検討された。本明細書において、Ｅ−ＤＣＨリソース割り当てフェーズに焦点を合わせられる。
【００５５】
本明細書において、「Ｅ−ＤＣＨリソース」に言及するとき、ＵＬスクランブリングコード、Ｅ−ＲＮＴＩ、Ｆ−ＤＰＣＨコード及びタイムスロット、Ｅ−ＲＧＣＨ／Ｅ−ＨＩＣＨコード及びシグネチャ、及びＥ−ＡＧＣＨコードの組み合わせを意味する。
【００５６】
Ｅ−ＤＣＨリソース割り当て方法−可能性の概要：
一般に、２つの極端な可能性が、識別されることができる：
１）各Ｅ−ＲＡＣＨプリアンブルが、１つのＥ−ＤＣＨリソースに直接関連付けられる。Ｅ−ＤＣＨリソースは、ＵＥによって効果的にランダムに選択され、プリアンブルをアクノリッジする際、付加のリソース割り当てシグナリングが、ＮｏｄｅＢによって送信されない。ＵＥによって選択されたプリアンブルに対応するＥ−ＤＣＨリソースがすでに使用中である場合、ＮｏｄｅＢは、ＡＩＣＨ上でＮＡＣＫによってプリアンブルに応答する。
２）Ｅ−ＲＡＣＨプリアンブルとＥ−ＤＣＨリソースとの間に予め決められた関連付けがない。Ｅ−ＤＣＨリソースの割り当ては、ＮｏｄｅＢによって実施され、Ｅ−ＲＡＣＨプリアンブルに応じてシグナリングされる。
【００５７】
更に、関連付けが各Ｅ−ＲＡＣＨプリアンブルとＥ−ＤＣＨリソースの組との間に存在する中間的なケースも可能である。ＵＥがプリアンブルを選択する場合、ＵＥは、従ってＥ−ＤＣＨリソースの対応する組を選択し、当該組の中の特定のＥ−ＤＣＨリソースが、ＮｏｄｅＢによって選択され、プリアンブルに応じてシグナリングされる。
【００５８】
R1-074976, "Enhanced Uplink for CELL_FACH", Philips（http://www.3gpp.org/ftp/tsg_ran/WG1_RL1/TSGR1_51/Docs/R1-074976.zipで入手可能）に記述されるように、すべての場合において、利用可能なＥ−ＤＣＨリソースの全体の組が、ブロードキャストされるべきであり、それにより、ＮｏｄｅＢによる任意のシグナリングは、単にインデックスを含むことができる。
【００５９】
Ｅ−ＤＣＨリソース割り当てシグナリング：
上記方法のうちどれが使用されるべきかを支配する主なファクタは、ＮｏｄｅＢがＥ−ＲＡＣＨプリアンブルに応答する際に何個のシグナリングビットが送信されることができるかに依存する。
【００６０】
いかなるビットも利用可能でない（すなわちＮｏｄｅＢが、拡張なしで通常のＡＩＣＨ応答を単純に送る）場合、オプション（１）（各Ｅ−ＲＡＣＨプリアンブルが、１つのＥ−ＤＣＨリソースと直接関連付けられる）が使用されるべきである。しかしながら、本願の視野において、オプション（１）に関連するセットアップ遅延が、非常に長くなる可能性がある。これは、衝突確率が、利用可能なＥ−ＲＡＣＨプリアンブルの数によってではなく、利用可能なＥ−ＤＣＨリソースの数によって制限されることになるという理由による。ＵＥが、偶然に、すでに使用中であるＥ−ＤＣＨリソースに対応するプリアンブルを選択するときはいつも、ＵＥは、ランダムなプリアンブル選択を再び開始しなければならない。
【００６１】
従って、オプション（１）の遅延を低減する可能性が、検討されることができる。以下に例を示す：
−まだ使用中でないＥ−ＤＣＨリソースのインデックスをブロードキャストするためにＡＩＣＨの終わりの予約部分を使用し、それによって、ＵＥは、対応するＥ−ＲＡＣＨプリアンブルを選択することができる；及び／又は
−電力ランピングフェーズを短縮する。例えば、以前の試行のＵＥによる第１のプリアンブル送信がＮＡＣＫされる場合、次のアクセス試行のためのＲＡＣＨの電力ランピングフェーズを省くことによる。（ＵＥが、その第１のプリアンブルがアクノリッジされた電力レべルをすでに確立しており、ＵＥが、別のプリアンブルを選択する際により低い電力レべルから始めなければならない場合、これは不必要な遅延をもたらす。プロセスは、ＵＥが以前のＮＡＣＫされたプリアンブルのときと同じ電力レべルを使用することを可能にすることによって、速められることができる。）
【００６２】
しかしながら、実際、ＡＩＣＨ応答と共に数個の付加のシグナリングビットを送信することは、まったく可能であるようにみえる。このための可能な方法は、以下を含む：
（１）R1-074303, "Resource assignment for E-DCH access in CELL_FACH state"に提案されるように、Ｅ−ＤＣＨリソースを割り当てるために、特定の既存のＡＩＣＨシグネチャ又は同時に送信されるシグネチャのグループを使用する。
（２）同様にR1-074303, "Resource assignment for E-DCH access in CELL_FACH state"に提案されるように、利用可能なＡＩＣＨシグネチャの数を拡張し、シグナリングのためにそれらを使用する。
（３）ＡＩＣＨの終わりの予約部分を使用してシグナリングする。
【００６３】
ＡＩＣＨの情報運搬能力を拡張することなくそれ自身において使用される方法（１）は、アクセス要求に利用できるシグネチャの数を低減し、従って、増大される衝突確率をもたらす。従って、このようなソリューションは好ましくない。
【００６４】
方法（２）及び（３）の各々の場合に利用可能なビットの数は、更なる評価を必要とする。原則的に、１６個の付加のシグネチャが、方法（２）の場合に利用可能であるが、これは、評価される必要がある既存のＲ９９  ＡＩＣＨ応答に対する付加の干渉を生成する。方法（３）の場合に利用可能なビットの数は、より制限されるが（ＳＦ２５６の場合８ビット）、既存のＡＩＣＨ応答に対する干渉を引き起こさない。
【００６５】
干渉の量は、デフォルトリソースにおいて低減されることができ、これは、ＡＩＣＨ上でＡＣＫのみを送ることによって示される。このリソースが利用可能でない場合、別のリソースが、付加のシグナリングビットを送ることによって示されることができる。
【００６６】
これらの方法（２）及び（３）の両方（又は２つの組み合わせでさえも）が、更に評価されるべきである。
【００６７】
結論として、Ｅ−ＤＣＨリソース割り当てが、Ｅ−ＲＡＣＨプリアンブルの選択によって完全に示される場合、遅延を低減する方法が考慮されることができる。以下に例を示す：
−まだ使用中でないＥ−ＤＣＨリソースのインデックスをブロードキャストするために、ＡＩＣＨの終わりの予約部分を使用し、それにより、ＵＥは、対応するＥ−ＲＡＣＨプリアンブルを選択することができる。
−電力ランピングフェーズを短縮する。
【００６８】
付加のシグナリングビットが、Ｅ−ＤＣＨリソース割り当てを示すために使用される場合、ＡＩＣＨ応答と共に数個の付加のシグナリングビットを送信することが提案される。
【００６９】
このための可能な方法は、以下を含む：
・R1-074303, "Resource assignment for E-DCH access in CELL_FACH state"に提案されるように、利用可能なＡＩＣＨシグネチャの数を拡張し、シグナリングのためにそれらを使用する。
・ＡＩＣＨの終わりの予約部分を使用してシグナリングする。
【００７０】
本明細書及び請求項において、構成要素に先行する「a」又は「an」なる語は、このような構成要素の複数の存在を除外しない。更に、「含む、有する」なる語は、列挙されたもの以外の構成要素又はステップの存在を除外しない。
【００７１】
請求項における括弧内の参照符号の包含は、理解を助けることを意図したものであり、制限することを意図しない。
【００７２】
本開示を読み込むことから、他の変更が、当業者には明らかであろう。このような変更は、ラジオ通信の分野において知られているとともにここにすでに記述されるフィーチャの代わりに又はそれに加えて使用されることができる他のフィーチャを含むことができる。
【図１】
0005419884.tif 000007
【図２】
0005419884.tif 000008
【図３】
0005419884.tif 000009